(57)【要約】【課題】第１の目的は、侵入した者を警察官が到着するまでに簡単かつ確実に逃走させないようにできる防犯システムを提供することであり、第２の目的は、貴重品を収納する収納体に触れることができないようにする防犯システムを提供することである。【解決手段】この防犯システムＡ１は、屋内の各部屋の内と外との相互間を出入り可能な全ての開口部１２を塞ぐ常開式のシャッター１３と、このシャッター１３を開閉作動するシャッター駆動手段１４と、開口部１２から部屋内へ侵入した侵入者を検知する侵入者検知手段１５と、部屋内への侵入者の検知情報に基づきシャッター駆動手段１４を駆動してシャッター１３を作動して全ての開口部１２を塞ぎ侵入者を部屋内に閉じ込める制御手段１６とを備えている。【選択図】図１
2004206539.tif 000002
【特許請求の範囲】
【請求項１】
屋内の各部屋の内と外との相互間を出入り可能な全ての開口部を塞ぐ常開式のシャッターと、このシャッターを開閉作動するシャッター駆動手段と、前記開口部から前記部屋内へ侵入した侵入者を検知する侵入者検知手段と、前記部屋内への侵入者の検知情報に基づき前記シャッター駆動手段を駆動して前記シャッターを作動して前記全ての開口部を塞ぎ前記侵入者を前記部屋内に閉じ込める制御手段とを備えることを特徴とする防犯システム。
【請求項２】
屋内と屋外との相互間を出入り可能な全ての開口部を塞ぐ常開式のシャッターと、このシャッターを開閉作動するシャッター駆動手段と、前記開口部から前記屋内へ侵入した侵入者を検知する侵入者検知手段と、前記屋内への侵入者の検知情報に基づき前記シャッター駆動手段を駆動して前記シャッターを作動して前記全ての開口部を塞ぎ前記侵入者を前記屋内に閉じ込める制御手段とを備えることを特徴とする防犯システム。
【請求項３】
前記シャッターは、外部から目視可能であることを特徴とする請求項１または請求項２に記載の防犯システム。
【請求項４】
前記閉じ込めた侵入者を威嚇する威嚇手段を備えることを特徴とする請求項１または請求項２に記載の防犯システム。
【請求項５】
前記侵入者を検知すると警備センターに通報する通報手段を備えることを特徴とする請求項１乃至請求項４のいずれか１項に記載の防犯システム。
【請求項６】
通電体に電圧を印加する威嚇手段と、前記威嚇手段の通電の設定と解除を行なう遠隔操作手段とを備え、
貴重品を収納する通電体を有する収納体に、前記威嚇手段が着脱可能であることを特徴とする防犯システム。
【請求項７】
貴重品を収納する通電体を有する収納体と、前記通電体に電圧を印加する威嚇手段と、前記威嚇手段の通電の設定解除を行なう遠隔操作手段とを備えることを特徴とする防犯システム。
【発明の詳細な説明】
【０００１】
【発明の属する技術分野】
この発明は、屋内に侵入した侵入者に対しては犯行及び逃走を阻止可能とし、または貴重品が盗まれないようにする防犯システムに関する。
【０００２】
【従来の技術】
屋内と屋外との相互間を出入りできるマンションやビルの開口部等には、開閉扉が設けられ、いちいち開閉扉を開いて出入りするドアであり、開店中は開放したままで出入り自由であるが、閉店後はシャッターで遮蔽して一切の出入りをシャットアウトするものがある。
【０００３】
このようなドア式やシャッター式も鍵をかければ侵入阻止機能を働かせることができるものの、ガラスを割られたり鍵を壊されれば侵入阻止機能が失われてしまうので、完璧な防犯効果は期待できない。
【０００４】
そこで夜間無人となる店舗や倉庫などでは、侵入が予想される殆どの窓や出入り口にセンサーを設置し、窓のガラスや出入り口のドア、シャッターなどが破られたり不審人物が侵入した場合、警報を発してそれを報知したり、警備会社や警察署にオンラインで通報するなどの防犯対策が施されている。
【０００５】
ところで、通報があってから警備員や警察官が現場に到着するまでには数分を要するため、侵入者は警報が鳴ってもすぐに逃走せず、警備員や警察官が到着するまでの僅かな時間で金品を持ち去ってしまうことが多いため、侵入を未然に防止したり、侵入した者を警察官が到着するまでに逃走させないようにできるものがある（例えば特許文献１）。
【０００６】
また、貴重品は金庫等に収納されているが、侵入者は金庫ごと持ちあげて運び出し、別の場所で破壊している。
【０００７】
【特許文献１】
特開平１０−６３９６２号公報（第１〜第４頁、図１〜図３）
【０００８】
【発明が解決しようとする課題】
この特許文献１に記載のものは、第１の遮蔽体を常閉式、或いは開閉式とし、それに対して第２の遮蔽体を常時開放状態として、屋内にて侵入者を発見したり第１の遮蔽体に異常が生じた場合に第２の遮蔽体を閉塞動作可能としているが、第２の遮蔽体は破壊されやすく、逃走させないようにするには不十分であった。
【０００９】
また、貴重品を収納する金庫等は持ち運べないように重量を重くしているが、重量を重くするにも限度があり、侵入者が持ち運べないようにすることができなかった。
【００１０】
この発明は、かかる点に鑑みてなされたもので、第１の目的は、侵入した者を警察官が到着するまでに簡単かつ確実に逃走させないようにできる防犯システムを提供することであり、第２の目的は、貴重品を収納する収納体に触れることができないようにする防犯システムを提供することである。
【００１１】
【課題を解決するための手段】
前記課題を解決し、かつ目的を達成するために、この発明は、以下のように構成した。
【００１２】
請求項１に記載の発明は、屋内の各部屋の内と外との相互間を出入り可能な全ての開口部を塞ぐ常開式のシャッターと、このシャッターを開閉作動するシャッター駆動手段と、前記開口部から前記部屋内へ侵入した侵入者を検知する侵入者検知手段と、前記部屋内への侵入者の検知情報に基づき前記シャッター駆動手段を駆動して前記シャッターを作動して前記全ての開口部を塞ぎ前記侵入者を前記部屋内に閉じ込める制御手段とを備えることを特徴とする防犯システムである。
【００１３】
この請求項１に記載の発明によれば、ビルやマンション等の各部屋内へ侵入すると、この侵入者の検知情報に基づきシャッターを作動して全ての開口部を塞ぎ侵入者を部屋内に閉じ込めることで、侵入した者を警察官が到着するまでに逃走させないようにできる。
【００１４】
請求項２に記載の発明は、屋内と屋外との相互間を出入り可能な全ての開口部を塞ぐ常開式のシャッターと、このシャッターを開閉作動するシャッター駆動手段と、前記開口部から前記屋内へ侵入した侵入者を検知する侵入者検知手段と、前記屋内への侵入者の検知情報に基づき前記シャッター駆動手段を駆動して前記シャッターを作動して前記全ての開口部を塞ぎ前記侵入者を前記屋内に閉じ込める制御手段とを備えることを特徴とする防犯システムである。
【００１５】
この請求項２に記載の発明によれば、ビルやマンション等の玄関から侵入することがあると、この屋外から屋内への侵入者の検知情報に基づきシャッターを作動して全ての開口部を塞ぎ侵入者を屋内に閉じ込めることで、侵入した者を警察官が到着するまでに逃走させないようにできる。
【００１６】
請求項３に記載の発明は、前記シャッターは、外部から目視可能であることを特徴とする請求項１または請求項２に記載の防犯システムである。
【００１７】
この請求項３に記載の発明によれば、シャッターは、外部から目視可能であり、外観から侵入しようとする者に威圧感を与え、侵入を未然に防止することができる。
【００１８】
請求項４に記載の発明は、前記閉じ込めた侵入者を威嚇する威嚇手段を備えることを特徴とする請求項１または請求項２に記載の防犯システムである。
【００１９】
この請求項４に記載の発明によれば、閉じ込めた侵入者を威嚇することで、侵入した者を警察官が到着するまでに逃走させないようにできる。
【００２０】
請求項５に記載の発明は、前記侵入者を検知すると警備センターに通報する通報手段を備えることを特徴とする請求項１乃至請求項４のいずれか１項に記載の防犯システムである。
【００２１】
この請求項５に記載の発明によれば、侵入者を検知すると警備センターに通報することで、警備員や警察官に侵入者を引き渡すことができる。
【００２２】
請求項６に記載の発明は、通電体に電圧を印加する威嚇手段と、前記威嚇手段の通電の設定と解除を行なう遠隔操作手段とを備え、
貴重品を収納する通電体を有する収納体に、前記威嚇手段が着脱可能であることを特徴とする防犯システムである。
【００２３】
この請求項６に記載の発明によれば、侵入者が貴重品の収納体に触った瞬間に電気的に威嚇を与えることで、収納体に触れることができず、収納体を壊したり、持ちあげて運ぶことができなくなり、貴重品の盗難防止に有効である。
【００２４】
請求項７に記載の発明は、貴重品を収納する通電体を有する収納体と、前記通電体に電圧を印加する威嚇手段と、前記威嚇手段の通電の設定解除を行なう遠隔操作手段とを備えることを特徴とする防犯システムである。
【００２５】
この請求項７に記載の発明によれば、遠隔操作によって威嚇手段の通電の設定と解除を行なうことで、取扱が容易である。
【００２６】
【発明の実施の形態】
以下、この発明の防犯システムの実施の形態を図面に基づいて説明する。
【００２７】
図１は家屋等の各部屋に設けられる防犯システムを示す図である。
【００２８】
この防犯システムＡ１は、ビルやマンション、あるいは一個建ての家屋等の各部屋１１の内と外との相互間を出入り可能な全ての開口部１２を塞ぐ常開式のシャッター１３と、このシャッター１３を開閉作動するシャッター駆動手段１４と、開口部１２から部屋内へ侵入した侵入者を検知する侵入者検知手段１５と、部屋内への侵入者の検知情報に基づきシャッター駆動手段１４を駆動してシャッター１３を作動して全ての開口部１２を塞ぎ侵入者を部屋内に閉じ込める制御手段１６とを備える。
【００２９】
ビルやマンション等の各部屋１１でも外出するときには、人の出入りは禁止されるために防犯システムＡ１が作動可能になり、玄関に備えられ、また室内の各部屋にも備えることができる。
【００３０】
この防犯システムＡ１の開口部１２を塞ぐ常開式のシャッター１３は、外部から目視可能であり、外観から侵入しようとする者に威圧感を与え、侵入を未然に防止することができるが、仮に、いずれかの開口部１２のドア１２ａを破り、家屋１１の屋内に侵入者が入ると、侵入者検知手段１５が検知する。この侵入者検知手段１５は、ドア１２ａを破ったことで検知してもよく、また光センサ等で侵入者を直接検知するようにしてもよい。
【００３１】
この侵入者検知手段１５が作動すると、この部屋１１への侵入者の検知情報に基づき制御手段１６は、シャッター駆動手段１４を駆動して全ての開口部１２に設けられる常開式のシャッター１３を閉じ、全ての開口部１２を塞ぐことで侵入者を部屋１１に閉じ込める。
【００３２】
この防犯システムＡ１には、通報手段１７が備えられ、侵入者を検知すると制御手段１６によって通報手段１７が作動し、警備センター１８に通報する。
【００３３】
この防犯システムＡ１には、閉じ込めた侵入者を威嚇する威嚇手段Ｂが備えられている。この威嚇手段Ｂは、例えば胡椒や粘着性のある液体、あるいは水を閉じ込めた侵入者に噴射してかける噴射器２０等で構成し、また明るい照明を行なう威嚇灯２１等で構成し、侵入者の足止めを行なうことができる。
【００３４】
図２はビルやマンション等に設けられる防犯システムを示す図である。
【００３５】
この防犯システムＡ２は、ビル等の建物１の屋内と屋外との相互間を出入り可能な玄関等の全ての開口部２を塞ぐ常開式のシャッター３と、このシャッター３を開閉作動するシャッター駆動手段４と、開口部２から屋内へ侵入した侵入者を検知する侵入者検知手段５と、屋内への侵入者の検知情報に基づきシャッター駆動手段４を駆動してシャッター３を作動して全ての開口部２を塞ぎ侵入者を屋内に閉じ込める制御手段６とを備える。
【００３６】
昼間は、ビル等の建物１の屋内と屋外との相互間を出入り可能な玄関等の開口部２から人が出入りするが、夜間になると人の出入りは禁止されるために防犯システムＡが作動可能になる。また、日曜日や祝日等の人の出入りは禁止される日でも防犯システムＡが作動可能になる。
【００３７】
開口部２を塞ぐ常開式のシャッター３は、外部から目視可能であり、外観から侵入しようとする者に威圧感を与え、侵入を未然に防止することができるが、仮に、いずれかの開口部２のドア２ａを破り、建物１の屋内に侵入者が入ると、侵入者検知手段５が検知する。この侵入者検知手段５は、ドア２ａを破ったことで検知してもよく、また光センサ等で侵入者を直接検知するようにしてもよい。
【００３８】
この侵入者検知手段５が作動すると、この屋内への侵入者の検知情報に基づき制御手段６は、シャッター駆動手段４を駆動して全ての開口部２に設けられる常開式のシャッター３を閉じ、全ての開口部２を塞ぐことで侵入者を建物１の屋内に閉じ込める。
【００３９】
この防犯システムＡ２には、通報手段７が備えられ、侵入者を検知すると制御手段６によって通報手段７が作動し、警備センター８に通報する。この侵入者を検知すると警備センター８に通報することで、警備員や警察官に侵入者を引き渡すことができる。
【００４０】
図３は電気的に威嚇する防犯システムの実施の形態を示す図である。この電気的に威嚇する防犯システムＡ３は、図２に示すように、通電体に電圧を印加する威嚇手段Ｃと、この威嚇手段Ｃの通電の設定と解除を行なう遠隔操作手段Ｄとを備え、威嚇手段Ｃは貴重品３０を収納する通電体を有する収納体３１に着脱可能である。遠隔操作手段Ｄは、通電時間を設定する設定ボタンＤ１と通電を強制的に解除する解除ボタンＤ２を有する。
【００４１】
例えば、収納体３１が鉄製の金庫であり、金庫の内部に貴重品３０を入れて外出するときや夜間には、遠隔操作手段Ｄの設定ボタンＤ１の操作で通電時間を設定して金庫に威嚇手段Ｃによって高電圧を印加する。威嚇手段Ｃは、バッテリＣ１と変圧器Ｃ２を有し、バッテリＣ１の電圧を変圧器Ｃ２で高電圧に昇圧して金庫に印加しておき、侵入者が貴重品３０の金庫に触った瞬間に感電する。このように、電気的に威嚇を与えることで、収納体３１に触れることができず、収納体３１を壊したり、持ちあげて運ぶことができなくなり、貴重品３０の盗難防止に有効である。
【００４２】
また、遠隔操作手段Ｄの遠隔操作で、威嚇手段Ｃの通電の設定と解除を行なうことで、取扱が容易である。
【００４３】
この電気的に威嚇する防犯システムＡ３は、図３に示すように、収納体３１として宝石店等のショーケース４０等があり、このショーケース４０等が金属で製造されていると、ショーケース４０等の内側に威嚇手段Ｃを取り付ける。宝石店等が閉店すると、遠隔操作手段Ｄの遠隔操作で威嚇手段Ｃの通電を所定時間に設定する。
【００４４】
例え、宝石店等に侵入者が入った場合でもショーケース４０等に触った瞬間に感電する。このように、電気的に威嚇を与えることで、ショーケース４０等に触れることができず、ショーケース４０等を壊したり、持ちあげて運ぶことができなくなり、宝石４１等の貴重品の盗難防止に有効である。
【００４５】
【発明の効果】
前記したように、請求項１に記載の発明では、ビルやマンション等の各部屋内へ侵入すると、この侵入者の検知情報に基づきシャッターを作動して全ての開口部を塞ぎ侵入者を部屋内に閉じ込めることで、侵入した者を警察官が到着するまでに逃走させないようにできる。
【００４６】
請求項２に記載の発明では、ビルやマンション等の玄関から侵入することがあると、この屋外から屋内への侵入者の検知情報に基づきシャッターを作動して全ての開口部を塞ぎ侵入者を屋内に閉じ込めることで、侵入した者を警察官が到着するまでに逃走させないようにできる。
【００４７】
請求項３に記載の発明では、シャッターは、外部から目視可能であり、外観から侵入しようとする者に威圧感を与え、侵入を未然に防止することができる。
【００４８】
請求項４に記載の発明では、閉じ込めた侵入者を威嚇することで、侵入した者を警察官が到着するまでに逃走させないようにできる。
【００４９】
請求項５に記載の発明では、侵入者を検知すると警備センターに通報することで、警備員や警察官に侵入者を引き渡すことができる。
【００５０】
請求項６に記載の発明では、侵入者が貴重品の収納体に触った瞬間に電気的に威嚇を与えることで、収納体に触れることができず、収納体を壊したり、持ちあげて運ぶことができなくなり、貴重品の盗難防止に有効である。
【００５１】
請求項７に記載の発明では、遠隔操作によって威嚇手段の通電の設定と解除を行なうことで、取扱が容易である。
【図面の簡単な説明】
【図１】家屋等の各部屋に設けられる防犯システムを示す図である。
【図２】ビル等に設けられる防犯システムを示す図である。
【図３】貴重品の収納体に威嚇手段を備える防犯システムの実施の形態を示す図である。
【図４】貴重品の収納体に威嚇手段を備える防犯システムの他の実施の形態を示す図である。
【符号の説明】
Ａ１，Ａ２，Ａ３  防犯システム
Ｂ  威嚇手段
Ｃ  威嚇手段
Ｄ  遠隔操作手段
１，１１  ビル等の建物
２，１２  開口部
３，１３  シャッター
４，１４  シャッター駆動手段
５，１５  侵入者検知手段
６，１６  制御手段
７，１７  通報手段
８，１８  警備センター
３０  貴重品
３１  収納体
【図１】
2004206539.tif 000003
【図２】
2004206539.tif 000004
【図３】
2004206539.tif 000005
【図４】
2004206539.tif 000006